(57)【要約】      （修正有）【課題】回転調節可能な反射体を備えた照明器具において、回転可能でありながら、様々な位置でしっかりと支えられる反射体を備えた照明器具を提供する。【解決手段】本発明は、蛍光照明器具内部、各蛍光ランプ３の裏側に配置され、しっかりと全ての回転位置で支えられながらも、１番目、２番目の度合いまたはそれ以上の固定段階で、蛍光ランプ３の仮想軸回りの様々な位置で回転する、放物面反射体に関する。本発明の放物面反射体１は、蛍光ランプ３に支持される必要がなくとも、照明器具ハウジング２の側壁５において、その位置に固定され、回転される。より具体的には、反射体１は、１番目、２番目の度合いまたはそれ以上の段階で回転し、誤って押された場合のいかなる動きも防ぐために、それぞれの回転位置でロックされる。【選択図】図１
2007227378.tif 000002
【特許請求の範囲】
【請求項１】
回転調節可能な反射体を備えた照明器具であって：
ａ）２つの長手方向の端部を有する照明器具ハウジング（２）；
ｂ）縦軸を有する蛍光ランプ（３）用の反射体（１）であって、照明器具に収納され、２つの長手方向の端部を有する前記反射体（１）；および
ｃ）それぞれ第１および第２の配置、またはそれぞれ第２および第１の配置を有する、照明器具ハウジング（２）の長手方向の端部および反射体（１）の長手方向の端部の内部構造を具備し、
ｉ）第１の配置は：
１）前記縦軸に対して軸方向に開き、前記縦軸をその中心とする円弧を画定する、収納部（７）；および
２）突起（１０）を含み、
ｉｉ）第２の配置は：
１）前記縦軸に対して軸方向に突出する第１および第２のパーツ（６）、（８）を含み、
２）第１のパーツ（６）は、第１の配置の関連した収納部（７）に収納され、
３）第２のパーツ（８）は、前記関連した収納部（７）と同心の円弧状でかつ歯状の表面（９）を有しており、
ｄ）前記収納部（７）は、第１のパーツ（６）を収納した後に、反射体（１）の回転を誘導し、
前記関連した突起（１０）は、複数の回転位置のそれぞれに反射体（１）を固定するために、歯状表面（９）の複数のくぼみ（１２）のそれぞれに噛み合う、
前記照明器具。
【請求項２】
回転調節可能な反射体を備えた照明器具であって：
ａ）２つの長手方向の端部を有する照明器具ハウジング（２）；および
ｂ）縦軸を有する蛍光ランプ（３）用の反射体（１）であって、照明器具に収納され、２つの長手方向の端部を有する前記反射体（１）を具備し、
ｃ）照明器具ハウジング（２）のそれぞれの長手方向の端部は、収納部（７）および突起（１０）を内部表面に有し、
該収納部（７）は、蛍光ランプ（３）の縦軸をその中心とする円弧を画定し、
ｄ）反射体（１）のそれぞれの長手方向の端部は、関連した照明器具の収納部（７）および突起（１０）と協働する組立要素（４）を有し、
それぞれの組立要素（４）は、軸方向に外側に突き出ている第１および第２のパーツ（６）、（８）を有し、
第１のパーツ（６）は、照明器具の関連した収納部（７）に収納され、
第２のパーツ（８）は、前記関連した収納部（７）と同心の円弧でかつ歯状の表面（９）を有し、
ｅ）前記収納部（７）は、第１のパーツ（６）を収納した後に、反射体（１）の回転を誘導し、
前記関連した突起（１０）は、複数の回転位置のそれぞれに反射体（１）を固定するために、歯状表面（９）の複数のくぼみ（１２）のそれぞれに噛み合う、
前記照明器具。
【請求項３】
それぞれ軸方向に外側に突き出ているパーツが、縦軸に平行である、請求項１または２に記載の照明器具。
【請求項４】
反射体（１）が、一体化された単一のパーツを含む、請求項１または２に記載の照明器具。
【請求項５】
組立要素（４）の第１および第２パーツが、一体化された単一のパーツを含む、請求項２に記載の照明器具。
【請求項６】
ａ）歯状表面（９）のくぼみ（１２）が、のこ歯状パターンを有し、
ｂ）歯状表面（９）のくぼみ（１２）に噛み合う突起（１０）の一部分が、くぼみ（１２）の形と実質的に合致する、請求項１または２に記載の照明器具。
【発明の詳細な説明】
【技術分野】
【０００１】
発明の分野
本発明は回転調節可能な反射体を備えた照明器具に関する。さらに詳しくは、本発明は、回転可能でありながら、様々な位置でしっかりと支えられる反射体を備えた照明器具に関する。
【背景技術】
【０００２】
発明の背景
先行の照明器具において、従前の技術水準で、蛍光ランプの裏側に取り付けられ、ランプの縦軸を中心に回転できる放物面反射体は、横ルーバーを介して蛍光ランプで支えられた反射体である。ランプは、反射体本体に組み立てられたルーバーの円形開口部を貫通する。これらの反射体は、例えば１番目、２番目または４番目の固定位置を有するために、段階的に回転しない。またこの反射体は、ルーバーの内部表面とランプの外部表面の間に生じる摩擦によってその位置に維持されているので、特定の回転位置に保持されない。
【発明の開示】
【０００３】
本発明に従って、段階的な放物面反射体の回転のためのシステムを用いると、蛍光ランプの仮想軸の周りの、ある位置の放物面反射体におけるより正確な調整を確実にすることができる。例えば、誤ってヒトの手が接触した場合における、１番目または２番目の位置などの、反射体がロックされ、動くことのできない様々な位置である。その結果として、蛍光ランプから反射体で反射している光線を集光し、方向付けることがより簡単になる。照明器具ハウジングまたは反射体自体に特別な製造要求のない、単純な方法を用いて、蛍光照明器具ハウジングに簡単に組み入れることができるとしたら、かかる回転調節可能な反射体用のシステムは非常に有用であろう。
【０００４】
この発明に従って、反射体を照明器具ハウジングの内部で使用することができ、必要に応じて光を集光し、方向付けすることができ、ある程度まで蛍光ランプの回りを回転することができることにより、照明器具の光性能を著しく強め、かつ電力を節約することができる。
【０００５】
発明の概要
発明の１つの形態に従って、２つの長手方向の端部を有する照明器具ハウジングを具備する、回転調節可能な反射体を備えた照明器具が提供される。蛍光ランプ用の反射体は、照明器具に収納され、２つの長手方向の端部を有している。照明器具ハウジングのそれぞれの長手方向の端部は、収納部および突起を内部表面に有しており、収納部は蛍光ランプの縦軸をその中心とする円弧を画定する。
【０００６】
反射体のそれぞれの長手方向の端部は、照明器具の関連した収納部および突起と協働する組立要素を有する。それぞれの組立要素が、軸方向に外側に突き出ている第１および第２のパーツを有しており、第１のパーツは、照明器具の関連した収納部に収納される。第２のパーツは、第１のパーツを収納した後に、反射体の回転を誘導する、関連した収納部と同心である円弧状でかつ歯状の表面を有している。関連した突起は、複数の回転位置のそれぞれにおいて反射体を固定するために、歯状表面の複数のくぼみの１つそれぞれに噛み合う。
【０００７】
本発明の他の形態において、収納部ならびに第１および第２のパーツの突起の位置は変更される。
本発明の放物面反射体は、蛍光ランプに支持される必要なく、その位置に固定され、照明器具ハウジングの側壁において回転される。より具体的には、誤って押された場合のいずれの動きも防ぐために、反射体は、１番目または２番目またはそれ以上の段階で回転し、それぞれの回転位置にロックする。
【０００８】
発明の詳細な説明
本発明の第１の態様に従って、図１は、照明器具の照明器具ハウジング２内部の反射体１を示す。反射体１は、蛍光ランプ３の下方に配置される。反射体１は通常放物面であり、好ましくは単独の肝要なパーツを含む。図２に示されるように、反射体１は、照明器具の側端壁５で支持され、回転する組立要素４とともに両端部にはめ込まれる。図３は、放物面反射体のみを組立要素４とともに示す。
【０００９】
図４および図５に示すように、それぞれの要素４は、反射体１から軸方向に外側に突き出ている、第１のブラケット（またはパーツ）６および第２のブラケット（またはパーツ）８を有する。これらのパーツは、好ましくは、関連した蛍光ランプの縦軸に平行であるが、パーツがかかる軸に厳密に平行でない場合でも機能する。それぞれの要素の第２ブラケット８は、歯状表面を有する。図示したようなパターンは、のこ歯状として本明細書および請求の範囲において適宜参照されたい。この組立要素４は、反射体の回転を可能にする。
【００１０】
図２、図４および図５に示すように、反射体１は、照明器具ハウジング２の側端壁５の収納部７内部の突出したブラケット６によって、その位置に固定され、回転される。反射体１は、突出したブラケット８の歯状表面９のくぼみ１２が突起１０に噛みあうときに、その回転位置にロックされる。突起１０は、照明器具ハウジング２の側端壁５から突出し、歯状表面９のくぼみ１２の形状に実質的に合致する。
【００１１】
突出したブラケット６と突出したブラケット８の間の距離１１（図４および５）を設けることによって、ある位置から別の位置へ反射体１が回転する間、歯状表面９を持つ突出したブラケット８の柔軟性により、歯状表面９が突起１０から持ち上がることを確実にする。反射体１は段階的に回転する。ここで段階とは、歯状表面９のあるくぼみ１２から別のくぼみまでの距離である。
【００１２】
この発明の１つの適用において、２つの突出したブラケット６および８は、円弧の形状を有している。ブラケット６および８の弧が属する円は、関連した蛍光ランプ３の縦軸を中心とし、また蛍光ランプ３の縦軸からブラケット６および８の真ん中までの垂直距離を半径とする、円である。ブラケット６の弧の円は、ブラケット８の弧の円と同心である。２つの突出したブラケットの担体（carrier）は、ブラケットが離れ、再び近づくために十分柔軟であるように、小さな厚みと十分な長さを有している。
【００１３】
照明器具ハウジング２の側端壁５にある収納部７（図４および図５）もまた、ブラケット６の円と同じ半径の円弧を形成する。これにより、ブラケット６を収納部７内部に導き、反射体１全体をランプ３の縦軸に沿って回転せしめる。
照明器具ハウジング２の側端壁５には、突出したブラケット８の歯状表面９のくぼみ１２と同じ断面の歯状突起１０を設けてもよい。反射体１が回転する間、歯状表面９も同様に回転し、突起１０との噛合いを乗り越えようと試みる。
【００１４】
反射体１の回転の全ての段階における、ブラケット６および８の柔軟性によって、ブラケット８は、突起１０の抵抗を乗り越えるために持ち上げられ、それはブラケット６へ向かって動く。これにより、歯状表面９が突起１０との噛合いから解かれ、その次のくぼみとかみ合うことになる。
【００１５】
上述したように、突出したブラケット６の担体も柔軟であるため、反射体１の縦軸に対して平行に動かすときに、ブラケット６の担体の真ん中を、放物面反射体１の縦軸と平行な方向に単にヒトの指で押すことによって、ブラケット６を側端壁５の収納部７から簡単に引き出せるようになる。
組立要素４の突起１３は、反射体１の長手方向の端部にある穴にロックされ、したがって、要素４の反射体１へのしっかりとした取り付けを確実にする。
【００１６】
図２および図５を参照して、本発明の別の態様において、上述した様々な部位の位置を、下記のように変更することができる。一例の「配置」としては、ハウジングの端壁部分１５、その関連した収納部７および突起１０を含めたものが考えられ、また別の「配置」としては、ブラケット６および８を含めたものが考えられる。一例の配置および別の例の配置の取付け位置を置き換えることができ、収納部７および突起１０は、反射体の長手方向の端部に取り付けられた組立要素（図示せず）に対して取り付けられるようになり、ブラケット６および８は、ハウジングの端壁部分１５に取り付けられるようになる。この態様の作用は、本発明と似たものとなる。
【００１７】
組立要素４は、熱可塑性材料で作ることができ、より好ましくは、ポリカーボネートまたはポリアミドまたはアクリロニトリル・ブタジエン・スチレンまたはポリスチロールまたは他の類似の材料で作ることができる。別種の態様では、要素４は、鉄板またはアルミニウムなどの金属シートで作ることができる。ブラケット６および８が同じ材料で作られるように、要素４を一体の物品としてもよい。
【００１８】
反射体は、鏡面反射性もしくは拡散反射性の表面を持ったアルミニウムまたは合成フィルムで作られる。合成フィルムは、ＰＥＴ、ＰＰ、ＰＶＣなどの単層または多層のプラスチックフィルムであってもよく、あるいは通常０．１ｍｍから１ｍｍの厚さのプラスチックフィルムと組み合わせた、多層プレスペーパーであってもよい。
【００１９】
説明の目的で、特定の態様について本発明を説明したが、当業者であれば容易に多くの改変および変更を加えるであろう。したがって、添付の特許請求の範囲は、かかる改変および変更が本発明の真の範囲および精神に含まれるものとして、そのすべてを対象とすべきものであることを理解されたい。
【図面の簡単な説明】
【００２０】
【図１】蛍光照明器具内に組み込まれた反射体の斜視図である。
【図２】照明器具内部の反射体の支持および回転機構の詳細な図である。
【図３】反射体の斜視図である。
【図４】反射体の端部の正面図および照明器具の側端壁の正面図である。
【図５】照明器具ハウジングの端部に取り付けられた反射体の端部を図２の矢印５０−５０で切った断面図である。
【図１】
2007227378.tif 000003
【図２】
2007227378.tif 000004
【図３】
2007227378.tif 000005
【図４】
2007227378.tif 000006
【図５】
2007227378.tif 000007